(57)【要約】【課題】炊飯メニューに合わせた最適な水量を簡単な操作で合わせることの出来る利便性の高い炊飯器を提供する。【解決手段】本体１と、この本体１内に着脱自在に収納される内釜２と、この内釜２の開口部を閉鎖する蓋体３と、前記内釜２を加熱する加熱部６と、複数の炊飯メニューから選択された所望のメニューを表示する炊飯メニュー表示部１１と、選択されたメニューに対応する加熱プログラムで前記加熱部６を制御する制御部１２と、前記内釜２の重量を検知する重量センサ８とからなり、この重量センサ８の検知信号によりメニューを選択し、この選択されたメニューと内釜内の水量とを前記炊飯メニュー表示部１１により表示するように前記制御部１２で制御する。【選択図】図１
2004305316.tif 000002
【特許請求の範囲】
【請求項１】
本体（１）と、この本体（１）内に着脱自在に収納される内釜（２）と、この内釜（２）の開口部を閉鎖する蓋体（３）と、前記内釜（２）を加熱する加熱部（６）と、複数の炊飯メニューから選択された所望のメニューを表示する炊飯メニュー表示部（１１）と、選択されたメニューに対応する加熱プログラムで前記加熱部（６）を制御する制御部（１２）と、前記内釜（２）の重量を検知する重量センサ（８）とからなり、この重量センサ（８）の検知信号によりメニューを選択し、この選択されたメニューと内釜（２）内の水量を前記炊飯メニュー表示部（１１）により表示するように前記制御部（１２）で制御することを特徴とする炊飯器。
【請求項２】
炊飯メニュー表示部（１１）のメニューの表示は、炊飯容量に対して最適な水量の多い順番、あるいは少ない順番に並べて表示することを特徴とする請求項１記載の炊飯器。
【発明の詳細な説明】
【０００１】
【発明の属する技術分野】
本発明はマイクロコンピュータを使用して水の量を間違いなく簡単にセットすることができる炊飯器に関するものである。
【０００２】
【従来の技術】
従来のこの種の炊飯器は、白米やおこわ、おかゆ、すしめし、等の炊飯メニュー毎に複数の加熱プログラムを有しており、使用者が所望する炊飯メニューで炊飯するには炊飯メニューに合わせた炊飯容量（米等を計量カップにて計量した量）と炊飯メニューに於ける炊飯容量に対する最適な水量を内釜内にセットし、次に炊飯メニュー選択スイッチで選択操作していた。
【０００３】
このため使用者が炊飯メニューを選択する操作がめんどうであったり、選択を間違えたり、選択を忘れたりするとうまく炊飯できないという問題があった。
【０００４】
この問題を解決するため、内釜内の水位を検知する水位センサと、内釜もしくは本体の重量を検知する重量センサを設け、水位センサと重量センサの出力値から炊飯メニューを自動的に選択し、この炊飯メニューに合った加熱プログラムで炊飯するような炊飯メニュー選択手段を設けた炊飯器が提案されている（例えば、特許文献１参照）。
【０００５】
また、他の方式として例えば特開平５−３４４９２５号公報（特許文献２参照）には、重量検出手段により内釜内の米の重量を検出し、使用者が所望する炊飯内容に応じて米の銘柄、精白度、炊き込み用の具の種類などの米情報を入力すると、最適加水量を演算して表示する表示手段を設けた炊飯器が提案されている。
【０００６】
【特許文献１】
特許第２５５４４８４号公報
【特許文献２】
特開平５−３４４９２５号公報
【０００７】
【発明が解決しようとする課題】
しかしながら、上記の特許文献１に示す従来の技術によれば、使用者が所望する炊飯メニューの炊飯容量（米等を計量カップにて計量した量）に対する最適な水量をセットするのに、内釜に印されている炊飯容量に対応した水位目盛りに水位を合わせて内釜に水を注入する作業が必要であり、この作業は水位目盛りが内釜の内側面に印されているため、水位目盛りを斜め上方より目視しながら行う作業となり、水位を合わせ難いという欠点があった。
【０００８】
また、上記の特許文献２に示す従来の技術では、水位を合わせる水位表示手段があって加水量を合わせやすいが、米の情報を使用者が入力する必要がありこれを忘れたり、誤ったりするとうまく炊飯できないという欠点があった。
【０００９】
【課題を解決するための手段】
本発明は上記の課題を解決するためになされたものであり、本体と、この本体内に着脱自在に収納される内釜と、この内釜の開口部を閉鎖する蓋体と、前記内釜を加熱する加熱部と、複数の炊飯メニューから選択された所望のメニューを表示する炊飯メニュー表示部と、選択されたメニューに対応する加熱プログラムで前記加熱部を制御する制御部と、前記内釜の重量を検知する重量センサとからなり、この重量センサの検知信号によりメニューを選択し、この選択されたメニューとそのときの内釜内の水量とを炊飯メニュー表示部により表示するように前記制御部で制御するものである。
【００１０】
また、炊飯メニュー表示部のメニューの表示は、炊飯容量に対して最適な水の量の多い順番、あるいは少ない順番に並べて表示するものである。
【００１１】
これによって、炊飯メニューに合わせた最適な水量を簡単な操作で合わせることの出来る利便性の高い炊飯器を提供するものである。
【００１２】
【発明の実施の形態】
以下、本発明の一実施例を図１〜図５を参照して説明する。
【００１３】
図において１は本体、２はこの本体１内に着脱自在に収納される内釜、３はこの内釜２の開口部を閉鎖する蓋体、３ａは内釜２を蓋する蓋体３の内面に取り付けられている内蓋である。
【００１４】
４は蓋体３を本体１に開閉自在に取り付けているヒンジである。
【００１５】
５は本体１に形成された、内釜２を上方から取り出し可能に収納する内釜収納容器であり、内釜収納容器５の底には内釜２を加熱する加熱部６が設けられていて、スプリング７により内釜２に加熱部６が密着するように押し当てられている。
【００１６】
８は重量センサで、内釜収納容器５の外部に設けられ、内釜２の重量を内部に入れられた米や水の重量と共に検知するものである。
【００１７】
９は連結棒で、内釜２の重量を重量センサ８に伝えるものであり、内釜収納容器５の底の中心に設けられた穴を通して重量センサ８に伝えている。
【００１８】
１０は温度センサで、内釜収納容器５の内側面に取り付けられていて内釜２の温度を検知するものである。
【００１９】
１１は本体１の正面の肩部に設けられた複数の炊飯メニューを表示する炊飯メニュー表示部で、選択された炊飯メニューを表示するとともに炊飯開始等を操作する操作キーを一体に有している。そして、炊飯メニュー表示部１１は図２に示すように、中央に液晶表示器２０が配置され、時刻２１や炊飯メニュー指示用の三角マーク２２や黒丸２３等が表示可能になっている。
【００２０】
また、液晶表示器２０の下側には左から「おかゆ」、「白米」、「すしめし」、「おこわ」等の炊飯メニュー２６が印刷されていて、メニュー指示用の三角マーク２２によって指示可能になっている。
【００２１】
また、液晶表示器２０の周りには操作スイッチ２４が配設されていて、操作スイッチ２４の夫々の上面には「切／保温」、「炊飯」、「タイマー」が印刷されている。
【００２２】
また、操作スイッチ２４にはその操作スイッチ２４が操作されたことを示すランプ２５が配設されている。
【００２３】
１２は制御部で、マイクロコンピュータとその周辺回路から成り、内蔵された制御プログラムや加熱プログラムを実行することができる。
【００２４】
そして、重量センサ８及び、温度センサ１０の検知信号と、操作スイッチ２４の信号を入力し、加熱部６への電力と炊飯メニュー表示部１１の液晶表示器２０への表示信号を出力している。
【００２５】
また、選択された炊飯メニューに対応して加熱部６への電力を制御する加熱プログラムを実行して炊飯を行う機能を有している。
【００２６】
また、重量センサ８の検知信号から炊飯容量を求め、予め決められた図３に示すような、各炊飯メニューにおける炊飯容量と最適な水量との関係から最適な水量を求める機能を有している。
【００２７】
また、重量センサ８の検知信号から内釜２に入れられた水量を求め、予め決められた図４に示すような、各炊飯容量における水量と炊飯メニューの関係から炊飯メニュー指示用の三角マーク２２や黒丸２３を表示する機能を有している。
【００２８】
次に、このような構成による動作について説明する。
【００２９】
使用者は本体１の蓋体３を開け、内釜２に米を計量カップ（図示せず）を用いて必要な炊飯容量分を入れる。
【００３０】
この時、制御部１２は図５に示す制御プログラムを実行する。
【００３１】
すなわち、ステップ１では重量センサ８の検知信号により内釜２の重量ａを測定し、ステップ２を実行する。
【００３２】
ステップで２は重量ａの測定値が安定したかを判定し、安定してなければステップ１を再度実行する。使用者が内釜２に米を完全に入れ終わって重量ａの測定値が安定するとステップ３を実行する。
【００３３】
ステップで３は測定した重量ａが一定値ｃと比較してｃより大きければステップ４を実行する。ｃと同じか小さければステップ１を再度実行する。ここでｃの値は内釜２に何も入っていないときの重量値とする。
【００３４】
ステップ４では測定した重量ａを記憶するとともに、重量ａから内釜の重量ｃを引き算して炊飯容量ｄを求める。
【００３５】
ステップ５ではステップ４で求めた炊飯容量ｄから、図３に示す炊飯容量と最適な水量の関係から各炊飯メニューに於ける最適な水量を求める。例えば炊飯メニューが「白米」の場合は最適な水量はｇとなる。
【００３６】
次に、使用者は内釜２を本体１から取り出し、洗米した後水を切って再度本体１に収納して内釜２に水を入れる。
【００３７】
ステップ６では水の入った内釜２の重量ｉを測定し、ステップ７を実行する。
【００３８】
ステップ７では重量ｉからステップ４で記憶した重量ａを引き算して内釜２に入れられた水量ｊを求め、ステップ８を実行する。
【００３９】
ステップ８ではステップ５で求めた最適な水量値と比較して、図４に示すように炊飯メニュー指示用の三角マーク２２や黒丸２３を表示する。例えばステップ７で求めた水量ｊが水量ｅの場合は炊飯メニュー「おこわ」を指示する三角マーク２２を点灯させ、以後炊飯キーが押されるまでステップ６，７，８を繰り返す。
【００４０】
このようにして、使用者は炊飯メニュー表示部１１を見ながら内釜２に入れる水の量を加減して、所望する炊飯メニューに指示用の三角マーク２２が点灯するように水の量を加減してセットする。
【００４１】
例えば炊飯メニュー２６の「白米」で炊飯したい場合は、内釜２に水を入れ始めは、液晶表示器２０の一番右側の黒丸２３が点灯し、徐々に水の量を増やしていくと黒丸２３が消灯し、炊飯メニュー２６の「おこわ」を指示する三角マーク２２が点灯する。さらに水の量を増やしていくと、「おこわ」を指示する三角マーク２２が消灯し、炊飯メニュー２６の「白米」と「おこわ」の間の黒丸２３が点灯する。このように水の量を増やしていって炊飯メニュー２６の「白米」を指示する三角マーク２２が点灯する所まで水を内釜２に注入すれば炊飯メニュー２６の「白米」に最適な水量とすることができる。
【００４２】
次に、使用者が炊飯キーを押すと炊飯キーのランプ２５が点灯し、制御部１２は選択された炊飯メニュー２６に応じた加熱プログラムで加熱部６の制御が開始される。いわゆる「はじめチョロチョロ、中パッパ、グツグツ言う頃火を引いて…」の加熱制御を温度センサ１０の検知信号を基に行いご飯を炊きあげ、次に保温の表示ランプ２５を点灯して保温動作を行う。
【００４３】
このようにして、炊飯メニュー表示部１１の炊飯メニュー２６を指示する三角マーク２２の点灯をメニューと同時に確認しながら内釜２に入れる水を加減をして所望するメニューを選択することができるため、操作が判りやすく、選択を間違えにくく、また水の量を合わせ易い。
【００４４】
また、炊飯メニュー２６の表示は図２に示すように右から左に最適な水量が少ない順番に並べてあるので、内釜２に入れる水量の水加減が判りやすい。
【００４５】
なお、上記実施例では炊飯メニュー２６の表示の順番は炊飯容量に対して最適な水量の少ない順番で右側から並べたが逆でもかまわない。また下から上に並べるなどしても良い。
【００４６】
【発明の効果】
以上説明したように、本発明によれば、炊飯メニュー表示部のメニューと水量との表示を確認しながら内釜に入れる水の量を加減することにより所望のメニューを選択することができるため、メニューの選択操作を忘れたり、選択操作を間違えることを無くすことができるとともに簡単で正確に水量を合わすことができる。
【００４７】
また、炊飯容量に対する最適な水量を合わせるのに、炊飯メニュー表示部のメニュー表示の順番が水量の順番で並べて表示しているので、水量の加減が非常にやりやすい。
【図面の簡単な説明】
【図１】本発明の一実施例の炊飯器の概略構成図である。
【図２】同じく炊飯メニュー表示部の正面図である。
【図３】同じく炊飯メニューに対する炊飯容量と最適な水量の関係を示す図である。
【図４】同じく炊飯容量に対する水量と炊飯メニューの関係を示す図である。
【図５】同じく制御部の制御プログラムを示す図である。
【符号の説明】
１  本体
２  内釜
３  蓋体
６  加熱部
８  重量センサ
１１  炊飯メニュー表示部
１２  制御部
【図１】
2004305316.tif 000003
【図２】
2004305316.tif 000004
【図３】
2004305316.tif 000005
【図４】
2004305316.tif 000006
【図５】
2004305316.tif 000007